(57)【要約】【課題】本発明は、組み込みサウンドボックスの構造を開示した。【解決手段】本発明の組み込みサウンドボックスの構造は、インストール座及びインストール座に設置される電板を含む。前記インストール座の底端面の中間部にインストール腔が設置され、前記インストール腔の中にサウンドボックス体が固定的に取り付けられ、前記サウンドボックス体の底面に前記音響ラッパが固定的に設置され、前記サウンドボックス体の最上面の接電端が固定的に設けられ、前記接電端は光電板に接続する。【選択図】図3
2019129697.tif 000002
【特許請求の範囲】
【請求項１】
組み込みサウンドボックスの構造であって、インストール座及び前記インストール座に設置される電板を含み、前記インストール座の底端面の中間部にインストール腔が設置され、前記インストール腔の中にサウンドボックス体が固定的に取り付けられ、前記サウンドボックス体の底面に音響ラッパが固定的に設置され、前記サウンドボックス体の最上面の接電端が固定的に設けられ、前記接電端は光電板に接続し、前記インストール座の最上端面の中間部に滑接腔が設けられ、前記滑接腔の中で回転でき、上下に移動できる転筒が設置され、前記転筒の最上端面に頂昇槽が設けられ、前記頂昇槽の中に上下に移動することができる前記頂昇ブロックが設置され、前記頂昇槽の底端壁の中に頂昇電転子が設けられ、前記頂昇電転子の上に頂昇ブロックと螺旋配合して接続する頂昇螺旋棒が動力が伝達可能なように連結し、前記頂昇ブロックの最上部には前後伸展する制限レバーが固定的に設置され、前記転筒の最上端面の右部に二つのピンが前後に設けられ、二つの前記ピンの間に回転軸が設置され、前記回転軸の上に光電板が固定的に設置され、前記回転軸の一端の内部には前記制限レバーと移動できるように配合して接続する移動段があり、前記移動段の底部に前記光電板の外部に連通して、前記頂昇ブロックの頂端を貫く通孔が設置され、前記転筒の底部の外側面に歯チェーン環が設けられ、前記転筒の底部の中間は軸承を通じて第一軸レバーが配合して設けられ、前記滑接腔の底端壁の中間に第一凹槽が設置され、前記第一凹槽の中に第一軸レバーと動力が伝達可能なように接続する第一油缶が設けられ、前記滑接腔の右端壁の中間に第二凹槽が設置され、前記第二凹槽の底端壁の中に第三凹槽が設けられ、前記第三凹槽の中に左右に移動することが出来る前記回転電転子が設置され、前記転電転子の右端は前記第二軸レバーに固定的に接続し、前記第三凹槽の右端壁には前記第二軸レバーと動力が伝達可能なように接続する第二油缶が設置され、前記第二凹槽の中に前記回転電転子の動力軸と動力が伝達可能なように接続する歯円輪が設けられ、前記歯円輪は前記歯チェーン環に合わせることができ、前記滑接腔の最上部に保護装置が設けられ、前記保護装置は滑接腔の左右両端壁に左右対応して設置される前記第一滑接槽と前記第二滑接槽を含み、前記第一滑接槽の中に左右に移動することができる前記第一滑接板が設けられ、前記第一滑接板の右端に凸部が設置され、前記凸部の右端面の外側面に斜導面が設けられ、前記第一滑接槽の左端壁に第一電転子が設置され、前記第一電転子の上に第一滑接板と接続する第一螺旋棒が設けられ、前記第一滑接板の左端面に第一螺旋棒と配合して接続する第一螺旋孔が設置され、前記第二滑接槽の中に左右に移動できる第二滑接板が設けられ、前記第二滑接板の左端面に凸部と配合して接続する凹接槽が設置され、前記第二滑接槽の右端壁に第二電転子が設けられ、前記第二電転子の上には第二滑接板と配合して接続する第二螺旋棒が設置され、前記第二滑接板の右端面に第二螺旋棒と配合して接続する第二螺旋孔が設けられ、前記第一滑接板と第二滑接板の最上端面に関合層が設置され、前記光電板と前記光電板が電気的に接続されることを特徴とする組み込みサウンドボックスの構造。
【発明の詳細な説明】
【技術分野】
【０００１】
本発明は、組み込みサウンドボックスの技術分野に関し、特に組み込みサウンドボックスの構造に関わる。
【背景技術】
【０００２】
中国の大衆の生活レベルが徐々に向上するにつれて、音響に対する個性化ニーズが高まり、伝統的なサウンドボックスは近代化のニーズを満たすことができない。そのため、人々は隠し式、外形が美しく、音の効果が良いサウンドボックスへのニーズが日に日に高まっている。いま市販の組み込みサウンドボックスは多くが室内に使用される。実際に、近年は広場ダンスが盛んになり、ほかの室外活動がどんどん多くなり、アウトドアの公共放送も組み込みサウンドボックスを使用する必要があるが、これらのサウンドボックスは一般的に市電に接続し、使う時電気が比較的かかる。
【先行技術文献】
【特許文献】
【０００３】
【特許文献１】中国実用新案第205378198号明細書
【発明の概要】
【発明が解決しようとする課題】
【０００４】
本発明が解決しなければならない問題は組み込みサウンドボックスの構造を提供することであり、上述の技術問題を解決することができる。
【０００５】
上記の問題を解決するため、本発明は以下の技術方案を使う。
【０００６】
本発明に係る組み込みサウンドボックスの構造は、インストール座及びインストール座に設置される電板を含む。前記インストール座の底端面の中間部にインストール腔が設置され、前記インストール腔の中にサウンドボックス体が固定的に取り付けられ、前記サウンドボックス体の底面に前記音響ラッパが固定的に設置され、前記サウンドボックス体の最上面の接電端が固定的に設けられ、前記接電端は光電板に接続する。前記インストール座の最上端面の中間部に滑接腔が設けられ、前記滑接腔の中に回転でき、上下に移動できる転筒が設置され、前記転筒の最上端面に頂昇槽が設けられ、前記頂昇槽の中に上下に移動することができる前記頂昇ブロックが設置され、前記頂昇槽の底端壁の中に頂昇電転子が設けられ、前記頂昇電転子の上に頂昇ブロックと螺旋配合して接続する頂昇螺旋棒が動力が伝達可能なように連結する。前記頂昇ブロックの最上部には前後伸展する制限レバーが固定的に設置され、前記転筒の最上端面の右部に二つのピンが前後に設けられ、二つの前記ピンの間に回転軸が設置され、前記回転軸の上に光電板が固定的に設置され、前記回転軸の一端の内部には前記制限レバーと移動できるように配合して接続する移動段があり、前記移動段の底部に前記光電板の外部に連通して、前記頂昇ブロックの頂端を貫く通孔が設置され、前記転筒の底部の外側面に歯チェーン環が設けられ、前記転筒の底部の中間は軸承を通して第一軸レバーが配合して設けられる。前記滑接腔の底端壁の中間に第一凹槽が設置され、前記第一凹槽の中に第一軸レバーと動力が伝達可能なように接続する第一油缶が設けられ、前記滑接腔の右端壁の中間に第二凹槽が設置され、前記第二凹槽の底端壁の中に第三凹槽が設けられ、前記第三凹槽の中に左右に移動することが出来る前記回転電転子71が設置され、前記転電転子71の右端は前記第二軸レバーに固定的に接続する。前記第三凹槽の右端壁には前記第二軸レバーと動力が伝達可能なように接続する第二油缶が設置され、前記第二凹槽の中に前記回転電転子の動力軸と動力が伝達可能なように接続する歯円輪が設けられ、前記歯円輪は前記歯チェーン環に合わせるものであり、前記滑接腔の最上部に保護装置が設けられる。
【０００７】
好ましい技術方案として、前記保護装置は滑接腔の左右両端壁に左右対応して設置される前記第一滑接槽と前記第二滑接槽を含む。前記第一滑接槽の中に左右に移動することができる前記第一滑接板が設けられ、前記第一滑接板の右端に凸部が設置され、前記凸部の右端面の外側面に斜導面が設けられ、前記第一滑接槽の左端壁に第一電転子が設置され、前記第一電転子の上に第一滑接板と接続する第一螺旋棒が設けられ、前記第一滑接板の左端面に第一螺旋棒と配合して接続する第一螺旋孔が設置される。前記第二滑接槽の中に左右に移動できる第二滑接板が設けられ、前記第二滑接板の左端面に凸部と配合して接続する凹接槽が設置され、前記第二滑接槽の右端壁に第二電転子が設けられ、前記第二電転子の上には第二滑接板と配合して接続する第二螺旋棒が設置される。前記第二滑接板の右端面に第二螺旋棒と配合して接続する第二螺旋孔が設けられ、前記第一滑接板と第二滑接板の最上端面に関合層が設置される。
【０００８】
好ましい技術方案として前記光電板と前記光電板が電気的に接続される。
【発明の効果】
【０００９】
本発明は太陽の運動軌跡によって、光電板の傾斜角度と向きを自動にコントロールすることを実現させる。それによってもっとよく太陽光を吸収して発電させ、組み込みサウンドボックスに供電して、省エネ・環境保護に適し、発電効率が高く、普及に適している。
【図面の簡単な説明】
【００１０】
【図１】図1は本発明の組み込みサウンドボックスの構造の全体構造案内図である。
【図２】図2は図1における光電板が収納状態にある全体構造案内図である。
【図３】図3は本発明の中のサウンドボックスの構造案内図である。
【発明を実施するための形態】
【００１１】
本発明の実施例或いは既存の技術の技術方案をもっとはっきりと説明するため、以下に実施例或いは既存の技術説明の所要の図面に簡単に紹介する。一目でわかることは下記の説明の中の図面はただ本発明のいくつかの実施例で、本分野の普通の技術にとって、創造的な労働を払わない前提に、これらの図面によってそのほかの図面を得ることができる。
【００１２】
下記に図面を交え本発明の好ましい実施例を詳しく説明し、本発明の長所と特徴を本分野の技術者にもっと理解しやすくさせ、これにより本発明の保護範囲をもっと明確に画定する。
【００１３】
図1-3を参照して、本発明の組み込みサウンドボックスの構造は、インストール座1及びインストール座1に設置される電板3を含む。前記インストール座1の底端面の中間部にインストール腔81が設置され、前記インストール腔81の中にサウンドボックス体83が固定的に取り付けられ、前記サウンドボックス体83の底面に前記音響ラッパ82が固定的に設置され、前記サウンドボックス体83の最上面の接電端84が固定的に設けられ、前記接電端84は光電板に接続する。前記インストール座1の最上端面の中間部に滑接腔2が設けられ、前記滑接腔2の中に回転でき、上下に移動できる転筒24が設置され、前記転筒24の最上端面に頂昇槽26が設けられ、前記頂昇槽26の中に上下に移動することができる前記頂昇ブロック29が設置され、前記頂昇槽26の底端壁の中に頂昇電転子27が設けられ、前記頂昇電転子27の上に頂昇ブロック29と螺旋配合して接続する頂昇螺旋棒28が動力が伝達可能なように連結する。前記頂昇ブロック29の最上部には前後伸展する制限レバー31が固定的に設置され、前記転筒24の最上端面の右部に二つのピン62が前後に設けられ、二つの前記ピンの間に回転軸63が設置され、前記回転軸63の上に光電板6が固定的に設置され、前記回転軸63の一端の内部には前記制限レバー31と移動できるように配合して接続する移動段60があり、前記移動段60の底部に前記光電板6の外部に連通して、前記頂昇ブロック29の頂端を貫く通孔61が設置され、前記転筒24の底部の外側面に歯チェーン環25が設けられ、前記転筒24の底部の中間は軸承23を通して第一軸レバー22が配合して設けられる。前記滑接腔2の底端壁の中間に第一凹槽20が設置され、前記第一凹槽20の中に第一軸レバー22と動力が伝達可能なように接続する第一油缶21が設けられ、前記滑接腔2の右端壁の中間に第二凹槽7が設置され、前記第二凹槽7の底端壁の中に第三凹槽70が設けられ、前記第三凹槽70の中に左右に移動することが出来る前記回転電転子71が設置され、前記転電転子71の右端は前記第二軸レバー72に固定的に接続する。前記第三凹槽70の右端壁には前記第二軸レバー72と動力が伝達可能なように接続する第二油缶73が設置され、前記第二凹槽7の中に前記回転電転子71の動力軸と動力が伝達可能なように接続する歯円輪74が設けられ、前記歯円輪74は前記歯チェーン環25に合わせるものであり、前記滑接腔2の最上部に保護装置が設けられ、保護装置によって、前記滑接腔2の最上部の開口を閉じることができる。
【００１４】
好ましくは、前記保護装置は滑接腔2の左右両端壁に左右対応して設置される前記第一滑接槽5と前記第二滑接槽4を含む。前記第一滑接槽5の中に左右に移動することができる前記第一滑接板50が設けられ、前記第一滑接板50の右端に凸部53が設置され、前記凸部53の右端面の外側面に斜導面55が設けられ、前記第一滑接槽5の左端壁に第一電転子52が設置され、前記第一電転子52の上に第一滑接板50と接続する第一螺旋棒51が設けられ、前記第一滑接板50の左端面に第一螺旋棒51と配合して接続する第一螺旋孔54が設置される。前記第二滑接槽4の中に左右に移動できる第二滑接板40が設けられ、前記第二滑接板40の左端面に凸部53と配合して接続する凹接槽43が設置され、前記第二滑接槽4の右端壁に第二電転子42が設けられ、前記第二電転子42の上には第二滑接板40と配合して接続する第二螺旋棒41が設置される。前記第二滑接板40の右端面に第二螺旋棒41と配合して接続する第二螺旋孔44が設けられ、前記第一滑接板50と第二滑接板40の最上端面に関合層が設置されて、関合作用に役に立つ。斜導面55によって、凸部53が凹接槽43の中に速めに挿入させて接続することが便利になる。
【００１５】
好ましくは、前記光電板6と光電板3が電気的に接続する。
【００１６】
本発明は使用するとき、第一油缶21の作業をコントロールすることによって、第一軸レバー22は転筒24を向上に移動させて、光電板6が滑接腔2の外にプッシュさせて、頂昇電転子27の作業を制御することによって、頂昇ブロック29を向上に移動させて、光電板6は回転軸63の一端から離れて、向上に移動させて、光電板6を傾斜させ、より良く太陽光を吸収して発電させる。しかも光電板6の傾斜度は使用ニーズによって調節することができる。歯チェーン環25と歯円輪74が相対する時は転筒24が向上移動する最大値である。この時、第二油缶73の作業を制御することによって、第二軸レバー72は回転電転子71を駆動して、左へ移動させる。回転電転子71は左に移動する同時に、歯円輪74を駆動して、左へ移動させて、歯チェーン環23と係合させる。そして、回転電転子71の作業をコントロールして、転筒24を回転させることを駆動して、転筒24が回転するため、光電板6も回転させられる。光電板6は太陽光の照射角度によって調節できるし、光電板6の発電効率が増加し、光電板6の発電は電板3の中に保存し、電板3を通してサウンドボックスに電力を提供する。
【００１７】
雷雨あるいは大風の天気に出会った時、まず第二軸レバー72の作業をコントロールして、歯円輪74が右に移動させて歯チェーン環25との係合を離れさせる。そして頂昇電転子27の作業をコントロールして、光電板4を平積みにして、それから第一油缶21の作業をコントロールして、転筒24が下に移動させて、光電板6を頂昇槽26の中に取り戻す。最後に第一電転子52と第二電転子42の作業をコントロールして、第一滑接板50は右に移動させて、第二滑接板40は左に移動させて、凸部53は凹接槽43の中に挿し込んで、配合して接続するとき、滑接腔2の最上部の開口は閉合を背面合わせるし、光電板6は滑接腔2の中に閉合させて、光電板6に良好な保護作用を果たし、光電板6が雷雨あるいは大風の天気に損害されることを防止する。
【００１８】
本発明は太陽の運動軌跡によって、光電板の傾斜角度と向きを自動にコントロールすることを実現させる。それによってもっとよく太陽光を吸収して発電させ、組み込みサウンドボックスに供電して、省エネ・環境保護に適し、発電効率が高く、普及に適している。
【００１９】
以上に本発明の基本原理、主な特徴と本発明の長所を表示し説明した。本分野の技術者は本発明が以上の実施例の制限を受けなく、以上の実施例と説明書はただ本発明の原理を説明し、本発明の意義と範囲を離れない前提に本発明は各種の変化と改善があることを了解すべきである。これらの変化と改善は全部本発明の保護範囲にある。本発明の保護範囲は特許請求の範囲とその同等のものに画定される。
【図１】
2019129697.tif 000003
【図２】
2019129697.tif 000004
【図３】
2019129697.tif 000005
【手続補正書】
【提出日】平成30年7月31日(2018.7.31)
【手続補正１】
【補正対象書類名】特許請求の範囲
【補正対象項目名】全文
【補正方法】変更
【補正の内容】
【特許請求の範囲】
【請求項１】
組み込みサウンドボックス構造であって、取付台及び前記取付台に取付けられた電気板を含み、前記取付台の底端面の中間に取付け筐体が設置され、前記取付け筐体の中にサウンドボックス体が固定に取付けられ、前記サウンドボックス体の底面に拡声器が固定に設置され、前記サウンドボックスの頂面に電気接続ヘッドが固定に設置され、前記電気接続ヘッドが光電板に接続され、前記取付台の頂端面の中央にスライド筐体が設置され、前記スライド筐体に回転且つ上下移動できる回転ドラムが設置され、前記回転ドラムの頂端面に肩上げ溝が設置され、前記肩上げ溝の中に上下移動する肩上げ溝が設置され、前記肩上げ溝の底端壁に肩上げ電子回転子が設置され、前記肩上げ電子回転子に前記肩上げブロックにねじで係合接続される肩上げボルトが動力で接続され、前記肩上げブロックの頂部に前後伸びる制限ロッドが固定設置され、前記回転ドラムの頂端面の右端に支柱二本が前後で設置され、前記二本の支柱の間に回転できる回転軸が設置され、前記回転軸に光電板が固定設置され、前記光電板が前記回転軸から離れる一端の内部に前記制限ロッドに移動し係合接続される移動段が設置され、前記移動段の底部に前記光電板の外部に連結し且つ前記肩上げブロックが抜けられるスルーホールが設置され、前記回転ドラムの底部の外側面に歯車リングが設置され、前記回転ドラム底部の中央に軸受を通じて第一軸が係合設置され、前記スライド筐体の底端壁の中央に第一溝が設置され、前記第一溝の中に前記第一軸に動力で接続される第一油シリンダーが設置され、前記スライド筐体の右端壁の中端に第二溝が設置され、前記第二溝の底端壁に第三溝が設置され、前記第三溝の中に左右移動できる回転電子回転子が設置され、前記回転電子回転子の右端に第二軸が固定接続され、前記第三溝の右端壁に前記第二軸に動力で接続されつ第二油シリンダーが設置され、前記第二溝の中に前記回転電子回転子の動力軸に動力で接続される歯車が設置され、前記歯車を前記歯車リングに噛み合わせ、前記スライド筐体の頂部に保護装置が設置され、前記保護装置は前記スライド筐体の左右両端壁に左右対称で設置される第一スライド溝と第二スライド溝を含み、前記第一スライド溝の中に左右移動できる第一スライド板が設置され、前記第一スライド板の右端に凸部が設置され、前記凸部の右端面の外側面に傾斜ガイド面が設置され、前記第一スライド溝の左端壁に第一電子回転子が設置され、前記第一電子回転子に前記第一スライド板にねじで係合接続される第一ボルトが動力で接続され、前記第一スライド板の左端面に前記第一ボルトにねじで係合接続される第一ねじ穴が設置され、前記第二スライド溝の中に左右移動できる第二スライド板が設置され、前記第二スライド板の左端面に前記凸部に係合接続される接続溝が設置され、前記第二スライド溝の右端壁に第二電子回転子が設置され、前記第二電子回転子に前記第二スライド板にねじで係合接続される第二ボルトが動力で接続され、前記第二スライド板の右端面に前記第二ボルトにねじで係合接続される第二ねじ穴が設置され、前記第一スライド板と前記第二スライド板の頂端面に閉じ層が設置され、前記光電板が前記電気板に電気で接続されることを特徴とする組み込みサウンドボックス構造。 
【手続補正２】
【補正対象書類名】明細書
【補正対象項目名】０００６
【補正方法】変更
【補正の内容】
【０００６】
本発明の組み込みサウンドボックス構造は、取付台及び前記取付台に取付けられた電気板を含み、前記取付台の底端面の中間に取付け筐体が設置され、前記取付け筐体の中にサウンドボックス体が固定に取付けられ、前記サウンドボックス体の底面に拡声器が固定に設置され、前記サウンドボックスの頂面に電気接続ヘッドが固定に設置され、前記電気接続ヘッドが光電板に接続され、前記取付台の頂端面の中央にスライド筐体が設置され、前記スライド筐体に回転且つ上下移動できる回転ドラムが設置され、前記回転ドラムの頂端面に肩上げ溝が設置され、前記肩上げ溝の中に上下移動する肩上げ溝が設置され、前記肩上げ溝の底端壁に肩上げ電子回転子が設置され、前記肩上げ電子回転子に前記肩上げブロックにねじで係合接続される肩上げボルトが動力で接続され、前記肩上げブロックの頂部に前後伸びる制限ロッドが固定設置され、前記回転ドラムの頂端面の右端に支柱二本が前後で設置され、前記二本の支柱の間に回転できる回転軸が設置され、前記回転軸に光電板が固定設置され、前記光電板が前記回転軸から離れる一端の内部に前記制限ロッドに移動し係合接続される移動段が設置され、前記移動段の底部に前記光電板の外部に連結し且つ前記肩上げブロックが抜けられるスルーホールが設置され、前記回転ドラムの底部の外側面に歯車リングが設置され、前記回転ドラム底部の中央に軸受を通じて第一軸が設置され、前記スライド筐体の底端壁の中央に第一溝が設置され、前記第一溝の中に前記第一軸に動力で接続される第一油シリンダーが設置され、前記スライド筐体の右端壁の中端に第二溝が設置され、前記第二溝の底端壁に第三溝が設置され、前記第三溝の中に左右移動できる回転電子回転子が設置され、前記回転電子回転子の右端に第二軸が固定接続され、前記第三溝の右端壁に前記第二軸に動力で接続されつ第二油シリンダーが設置され、前記第二溝の中に前記回転電子回転子の動力軸に動力で接続される歯車が設置され、前記歯車を前記歯車リングに噛み合わせ、前記スライド筐体の頂部に保護装置が設置される。
【手続補正３】
【補正対象書類名】明細書
【補正対象項目名】０００７
【補正方法】変更
【補正の内容】
【０００７】
優選された技術プランとして、前記保護装置は前記スライド筐体の左右両端壁に左右対称で設置される第一スライド溝と第二スライド溝を含み、前記第一スライド溝の中に左右移動できる第一スライド板が設置され、前記第一スライド板の右端に凸部が設置され、前記凸部の右端面の外側面に傾斜ガイド面が設置され、前記第一スライド溝の左端壁に第一電子回転子が設置され、前記第一電子回転子に前記第一スライド板にねじで係合接続される第一ボルトが動力で接続され、前記第一スライド板の左端面に前記第一ボルトにねじで係合接続される第一ねじ穴が設置され、前記第二スライド溝の中に左右移動できる第二スライド板が設置され、前記第二スライド板の左端面に前記凸部に係合接続される接続溝が設置され、前記第二スライド溝の右端壁に第二電子回転子が設置され、前記第二電子回転子に前記第二スライド板にねじで係合接続される第二ボルトが動力で接続され、前記第二スライド板の右端面に前記第二ボルトにねじで係合接続される第二ねじ穴が設置され、前記第一スライド板と前記第二スライド板の頂端面に閉じ層が設置される。
【手続補正４】
【補正対象書類名】明細書
【補正対象項目名】００１３
【補正方法】変更
【補正の内容】
【００１３】
図1-3が示すように、本発明の組み込みサウンドボックス構造は、取付台1及び前記取付台1に取付けられた電気板3を含み、前記取付台1の底端面の中間に取付け筐体81が設置され、前記取付け筐体81の中にサウンドボックス体83が固定に取付けられ、前記サウンドボックス体83の底面に拡声器82が固定に設置され、前記サウンドボックス83の頂面に電気接続ヘッド84が固定に設置され、前記電気接続ヘッド84が光電板に接続され、前記取付台1の頂端面の中央にスライド筐体2が設置され、前記スライド筐体2に回転且つ上下移動できる回転ドラム24が設置され、前記回転ドラム24の頂端面に肩上げ溝26が設置され、前記肩上げ溝26の中に上下移動する肩上げ溝29が設置され、前記肩上げ溝26の底端壁に肩上げ電子回転子27が設置され、前記肩上げ電子回転子27に前記肩上げブロック29にねじで係合接続される肩上げボルト28が動力で接続され、前記肩上げブロック29の頂部に前後伸びる制限ロッド31が固定設置され、前記回転ドラム24の頂端面の右端に支柱62二本が前後で設置され、前記二本の支柱62の間に回転できる回転軸63が設置され、前記回転軸63に光電板6が固定設置され、前記光電板6が前記回転軸63から離れる一端の内部に前記制限ロッド31に移動し係合接続される移動段60が設置され、前記移動段60の底部に前記光電板6の外部に連結し且つ前記肩上げブロック29が抜けられるスルーホール61が設置され、前記回転ドラム24の底部の外側面に歯車リング25が設置され、前記回転ドラム24底部の中央に軸受23を通じて第一軸22が係合設置され、前記スライド筐体2の底端壁の中央に第一溝20が設置され、前記第一溝20の中に前記第一軸22に動力で接続される第一油シリンダー21が設置され、前記スライド筐体2の右端壁の中端に第二溝7が設置され、前記第二溝7の底端壁に第三溝70が設置され、前記第三溝70の中に左右移動できる回転電子回転子71が設置され、前記回転電子回転子71の右端に第二軸72が固定接続され、前記第三溝70の右端壁に前記第二軸72に動力で接続されつ第二油シリンダー73が設置され、前記第二溝7の中に前記回転電子回転子71の動力軸に動力で接続される歯車74が設置され、前記歯車74を前記歯車リング25に噛み合わせ、前記スライド筐体2の頂部に保護装置が設置され、前記保護装置を通じて前記スライド筐体2の頂部開口を閉じる。
【手続補正５】
【補正対象書類名】明細書
【補正対象項目名】００１４
【補正方法】変更
【補正の内容】
【００１４】
その中に、前記保護装置は前記スライド筐体2の左右両端壁に左右対称で設置される第一スライド溝5と第二スライド溝4を含み、前記第一スライド溝5の中に左右移動できる第一スライド板50が設置され、前記第一スライド板50の右端に凸部53が設置され、前記凸部53の右端面の外側面に傾斜ガイド面55が設置され、前記第一スライド溝5の左端壁に第一電子回転子52が設置され、前記第一電子回転子52に前記第一スライド板50にねじで係合接続される第一ボルト51が動力で接続され、前記第一スライド板50の左端面に前記第一ボルト51にねじで係合接続される第一ねじ穴54が設置され、前記第二スライド溝4の中に左右移動できる第二スライド板40が設置され、前記第二スライド板40の左端面に前記凸部53に係合接続される接続溝43が設置され、前記第二スライド溝4の右端壁に第二電子回転子42が設置され、前記第二電子回転子42に前記第二スライド板40にねじで係合接続される第二ボルト41が動力で接続され、前記第二スライド板40の右端面に前記第二ボルト41にねじで係合接続される第二ねじ穴44が設置され、前記第一スライド板50と前記第二スライド板40の頂端面に閉じ層が設置され、閉じる機能が実現され、前記傾斜ガイド面55を通じて前記凸部53を迅速に前記接続溝43に挿入して係合接続させる。
【手続補正６】
【補正対象書類名】明細書
【補正対象項目名】００１５
【補正方法】変更
【補正の内容】
【００１５】
その中に、前記光電板6が前記電気板3に電気で接続される。
【手続補正７】
【補正対象書類名】明細書
【補正対象項目名】００１６
【補正方法】変更
【補正の内容】
【００１６】
本発明が使用される時、前記第一油シリンダー21をコントロールして起動させ、前記第一軸22が前記回転ドラム24を上に移動駆動させ、それによって、前記光電板6を前記スライド筐体2から押し出せ、前記肩上げ電子回転子27をコントロールして起動させ、それによって、前記肩上げブロック29を上に移動回転させ、前記光電板6が前記回転軸63から離れる一端が上に上げさせ、前記光電板6を傾斜させ、前記光電板6がより良く太陽光を吸収して発電するには便利であり、しかも前記光電板6の傾斜角度が需要に応じて調節して、前記歯車リング25が前記歯車74に向かい合う時は前記回転ドラム24が上に移動する最大値であり、この時第二油シリンダー73をコントロールして起動させ、前記第二軸72が前記回転電子回転子71を左に移動駆動させ、前記回転電子回転子71が左に移動する同時に前記歯車74を左に移動させて前記歯車リング25に噛み合わせ、そして前記回転電子回転子71をコントロールして起動させ、前記回転ドラム24を回転駆動させ、前記回転ドラム24が回転して前記光電板6を回転させ、前記光電板6が太陽光の照射角度によって調節するには便利であり、前記光電板6の発電効率を向上させ、前記光電板6が前記電気板3に保存され、前記電気板3を通じてスピーカーに給電する。
【手続補正８】
【補正対象書類名】明細書
【補正対象項目名】００１７
【補正方法】変更
【補正の内容】
【００１７】
雷雨や強風に遭う時、まず前記第二軸72をコントロールして起動させ、前記歯車74が右に移動して前記歯車リング25との噛み合いから離脱し、前記肩上げ電子回転子27をコントロールして起動させ前記光電板4を水平に放置し、前記第一油シリンダー21をコントロールして起動させ、前記回転ドラム24を下に移動させ、前記光電板6を前記肩上げ溝26に収め、最後は前記第一電子回転子52と第二電子回転子42をコントロールして起動させ、前記第一スライド板50を右に、前記第二スライド板40を左に移動させ、前記凸部53が接続溝43に挿入して係合接続される時前記スライド筐体2の頂部開口が閉じられ、それによって、前記光電板6を前記スライド筐体2に閉じらせ、前記光電板6を良く保護して、光電板6が雷雨や強風に損壊されることを防止する。
【手続補正書】
【提出日】平成30年10月30日(2018.10.30)
【手続補正１】
【補正対象書類名】特許請求の範囲
【補正対象項目名】全文
【補正方法】変更
【補正の内容】
【特許請求の範囲】
【請求項１】
組み込みサウンドボックス構造であって、取付台及び前記取付台に取付けられた電気板を含み、前記取付台の底端面の中間に取付け筐体が設置され、前記取付け筐体の中にサウンドボックス体が固定に取付けられ、前記サウンドボックス体の底面に拡声器が固定に設置され、前記サウンドボックス体の頂面に電気接続ヘッドが固定に設置され、前記電気接続ヘッドが光電板に接続され、前記取付台の頂端面の中央にスライド筐体が設置され、前記スライド筐体に回転且つ上下移動できる回転ドラムが設置され、前記回転ドラムの頂端面に肩上げ溝が設置され、前記肩上げ溝の中に上下移動する肩上げブロックが設置され、前記肩上げ溝の底端壁に肩上げ電子回転子が設置され、前記肩上げ電子回転子に前記肩上げブロックにねじで係合接続される肩上げボルトが動力で接続され、前記肩上げブロックの頂部に前後伸びる制限ロッドが固定設置され、前記回転ドラムの頂端面の右端に支柱二本が前後で設置され、前記二本の支柱の間に回転できる回転軸が設置され、前記回転軸に光電板が固定設置され、前記光電板が前記回転軸から離れる一端の内部に前記制限ロッドに移動し係合接続される移動段が設置され、前記移動段の底部に前記光電板の外部に連結し且つ前記肩上げブロックが抜けられるスルーホールが設置され、前記回転ドラムの底部の外側面に歯車リングが設置され、前記回転ドラム底部の中央に軸受を通じて第一軸が係合設置され、前記スライド筐体の底端壁の中央に第一溝が設置され、前記第一溝の中に前記第一軸に動力で接続される第一油シリンダーが設置され、前記スライド筐体の右端壁の中端に第二溝が設置され、前記第二溝の底端壁に第三溝が設置され、前記第三溝の中に左右移動できる回転電子回転子が設置され、前記回転電子回転子の右端に第二軸が固定接続され、前記第三溝の右端壁には前記第二軸と動力で接続される第二油シリンダーが設置され、前記第二溝の中に前記回転電子回転子の動力軸に動力で接続される歯車が設置され、前記歯車を前記歯車リングに噛み合わせ、前記スライド筐体の頂部に保護装置が設置され、前記保護装置は前記スライド筐体の左右両端壁に左右対称で設置される第一スライド溝と第二スライド溝を含み、前記第一スライド溝の中に左右移動できる第一スライド板が設置され、前記第一スライド板の右端に凸部が設置され、前記凸部の右端面の外側面に傾斜ガイド面が設置され、前記第一スライド溝の左端壁に第一電子回転子が設置され、前記第一電子回転子に前記第一スライド板にねじで係合接続される第一ボルトが動力で接続され、前記第一スライド板の左端面に前記第一ボルトにねじで係合接続される第一ねじ穴が設置され、前記第二スライド溝の中に左右移動できる第二スライド板が設置され、前記第二スライド板の左端面に前記凸部に係合接続される接続溝が設置され、前記第二スライド溝の右端壁に第二電子回転子が設置され、前記第二電子回転子に前記第二スライド板にねじで係合接続される第二ボルトが動力で接続され、前記第二スライド板の右端面に前記第二ボルトにねじで係合接続される第二ねじ穴が設置され、前記第一スライド板と前記第二スライド板の頂端面に閉じ層が設置され、前記光電板が前記電気板に電気で接続されることを特徴とする組み込みサウンドボックス構造。 
【手続補正２】
【補正対象書類名】明細書
【補正対象項目名】全文
【補正方法】変更
【補正の内容】
【発明の詳細な説明】
【技術分野】
【０００１】
本発明は、組み込みサウンドボックスの技術分野に関し、特に組み込みサウンドボックスの構造に関わる。
【背景技術】
【０００２】
中国の大衆の生活レベルが徐々に向上するにつれて、音響に対する個性化ニーズが高まり、伝統的なサウンドボックスは近代化のニーズを満たすことができない。そのため、人々は隠し式、外形が美しく、音の効果が良いサウンドボックスへのニーズが日に日に高まっている。いま市販の組み込みサウンドボックスは多くが室内に使用される。実際に、近年は広場ダンスが盛んになり、ほかの室外活動がどんどん多くなり、アウトドアの公共放送も組み込みサウンドボックスを使用する必要があるが、これらのサウンドボックスは一般的に市電に接続し、使う時電気が比較的かかる。
【先行技術文献】
【特許文献】
【０００３】
【特許文献１】中国実用新案第205378198号明細書
【発明の概要】
【発明が解決しようとする課題】
【０００４】
本発明が解決しなければならない問題は組み込みサウンドボックスの構造を提供することであり、上述の技術問題を解決することができる。
【０００５】
上記の問題を解決するため、本発明は以下の技術方案を使う。
【０００６】
本発明の組み込みサウンドボックス構造は、取付台及び前記取付台に取付けられた電気板を含み、前記取付台の底端面の中間に取付け筐体が設置され、前記取付け筐体の中にサウンドボックス体が固定に取付けられ、前記サウンドボックス体の底面に拡声器が固定に設置され、前記サウンドボックス体の頂面に電気接続ヘッドが固定に設置され、前記電気接続ヘッドが光電板に接続され、前記取付台の頂端面の中央にスライド筐体が設置され、前記スライド筐体に回転且つ上下移動できる回転ドラムが設置され、前記回転ドラムの頂端面に肩上げ溝が設置され、前記肩上げ溝の中に上下移動する肩上げブロックが設置され、前記肩上げ溝の底端壁に肩上げ電子回転子が設置され、前記肩上げ電子回転子に前記肩上げブロックにねじで係合接続される肩上げボルトが動力で接続され、前記肩上げブロックの頂部に前後伸びる制限ロッドが固定設置され、前記回転ドラムの頂端面の右端に支柱二本が前後で設置され、前記二本の支柱の間に回転できる回転軸が設置され、前記回転軸に光電板が固定設置され、前記光電板が前記回転軸から離れる一端の内部に前記制限ロッドに移動し係合接続される移動段が設置され、前記移動段の底部に前記光電板の外部に連結し且つ前記肩上げブロックが抜けられるスルーホールが設置され、前記回転ドラムの底部の外側面に歯車リングが設置され、前記回転ドラム底部の中央に軸受を通じて第一軸が設置され、前記スライド筐体の底端壁の中央に第一溝が設置され、前記第一溝の中に前記第一軸に動力で接続される第一油シリンダーが設置され、前記スライド筐体の右端壁の中端に第二溝が設置され、前記第二溝の底端壁に第三溝が設置され、前記第三溝の中に左右移動できる回転電子回転子が設置され、前記回転電子回転子の右端に第二軸が固定接続され、前記第三溝の右端壁には前記第二軸と動力で接続される第二油シリンダーが設置され、前記第二溝の中に前記回転電子回転子の動力軸に動力で接続される歯車が設置され、前記歯車を前記歯車リングに噛み合わせ、前記スライド筐体の頂部に保護装置が設置される。
【０００７】
優選された技術プランとして、前記保護装置は前記スライド筐体の左右両端壁に左右対称で設置される第一スライド溝と第二スライド溝を含み、前記第一スライド溝の中に左右移動できる第一スライド板が設置され、前記第一スライド板の右端に凸部が設置され、前記凸部の右端面の外側面に傾斜ガイド面が設置され、前記第一スライド溝の左端壁に第一電子回転子が設置され、前記第一電子回転子に前記第一スライド板にねじで係合接続される第一ボルトが動力で接続され、前記第一スライド板の左端面に前記第一ボルトにねじで係合接続される第一ねじ穴が設置され、前記第二スライド溝の中に左右移動できる第二スライド板が設置され、前記第二スライド板の左端面に前記凸部に係合接続される接続溝が設置され、前記第二スライド溝の右端壁に第二電子回転子が設置され、前記第二電子回転子に前記第二スライド板にねじで係合接続される第二ボルトが動力で接続され、前記第二スライド板の右端面に前記第二ボルトにねじで係合接続される第二ねじ穴が設置され、前記第一スライド板と前記第二スライド板の頂端面に閉じ層が設置される。
【０００８】
好ましい技術方案として前記光電板と前記光電板が電気的に接続される。
【発明の効果】
【０００９】
本発明は太陽の運動軌跡によって、光電板の傾斜角度と向きを自動にコントロールすることを実現させる。それによってもっとよく太陽光を吸収して発電させ、組み込みサウンドボックスに供電して、省エネ・環境保護に適し、発電効率が高く、普及に適している。
【図面の簡単な説明】
【００１０】
【図１】図1は本発明の組み込みサウンドボックスの構造の全体構造案内図である。
【図２】図2は図1における光電板が収納状態にある全体構造案内図である。
【図３】図3は本発明の中のサウンドボックスの構造案内図である。
【発明を実施するための形態】
【００１１】
本発明の実施例或いは既存の技術の技術方案をもっとはっきりと説明するため、以下に実施例或いは既存の技術説明の所要の図面に簡単に紹介する。一目でわかることは下記の説明の中の図面はただ本発明のいくつかの実施例で、本分野の普通の技術にとって、創造的な労働を払わない前提に、これらの図面によってそのほかの図面を得ることができる。
【００１２】
下記に図面を交え本発明の好ましい実施例を詳しく説明し、本発明の長所と特徴を本分野の技術者にもっと理解しやすくさせ、これにより本発明の保護範囲をもっと明確に画定する。
【００１３】
図1-3が示すように、本発明の組み込みサウンドボックス構造は、取付台1及び前記取付台1に取付けられた電気板3を含み、前記取付台1の底端面の中間に取付け筐体81が設置され、前記取付け筐体81の中にサウンドボックス体83が固定に取付けられ、前記サウンドボックス体83の底面に拡声器82が固定に設置され、前記サウンドボックス体の頂面に電気接続ヘッド84が固定に設置され、前記電気接続ヘッド84が光電板に接続され、前記取付台1の頂端面の中央にスライド筐体2が設置され、前記スライド筐体2に回転且つ上下移動できる回転ドラム24が設置され、前記回転ドラム24の頂端面に肩上げ溝26が設置され、前記肩上げ溝26の中に上下移動する肩上げブロック29が設置され、前記肩上げ溝26の底端壁に肩上げ電子回転子27が設置され、前記肩上げ電子回転子27に前記肩上げブロック29にねじで係合接続される肩上げボルト28が動力で接続され、前記肩上げブロック29の頂部に前後伸びる制限ロッド31が固定設置され、前記回転ドラム24の頂端面の右端に支柱62二本が前後で設置され、前記二本の支柱62の間に回転できる回転軸63が設置され、前記回転軸63に光電板6が固定設置され、前記光電板6が前記回転軸63から離れる一端の内部に前記制限ロッド31に移動し係合接続される移動段60が設置され、前記移動段60の底部に前記光電板6の外部に連結し且つ前記肩上げブロック29が抜けられるスルーホール61が設置され、前記回転ドラム24の底部の外側面に歯車リング25が設置され、前記回転ドラム24底部の中央に軸受23を通じて第一軸22が係合設置され、前記スライド筐体2の底端壁の中央に第一溝20が設置され、前記第一溝20の中に前記第一軸22に動力で接続される第一油シリンダー21が設置され、前記スライド筐体2の右端壁の中端に第二溝7が設置され、前記第二溝7の底端壁に第三溝70が設置され、前記第三溝70の中に左右移動できる回転電子回転子71が設置され、前記回転電子回転子71の右端に第二軸72が固定接続され、前記第三溝70の右端壁には前記第二軸72と動力で接続される第二油シリンダー73が設置され、前記第二溝7の中に前記回転電子回転子71の動力軸に動力で接続される歯車74が設置され、前記歯車74を前記歯車リング25に噛み合わせ、前記スライド筐体2の頂部に保護装置が設置され、前記保護装置を通じて前記スライド筐体2の頂部開口を閉じる。
【００１４】
その中に、前記保護装置は前記スライド筐体2の左右両端壁に左右対称で設置される第一スライド溝5と第二スライド溝4を含み、前記第一スライド溝5の中に左右移動できる第一スライド板50が設置され、前記第一スライド板50の右端に凸部53が設置され、前記凸部53の右端面の外側面に傾斜ガイド面55が設置され、前記第一スライド溝5の左端壁に第一電子回転子52が設置され、前記第一電子回転子52に前記第一スライド板50にねじで係合接続される第一ボルト51が動力で接続され、前記第一スライド板50の左端面に前記第一ボルト51にねじで係合接続される第一ねじ穴54が設置され、前記第二スライド溝4の中に左右移動できる第二スライド板40が設置され、前記第二スライド板40の左端面に前記凸部53に係合接続される接続溝43が設置され、前記第二スライド溝4の右端壁に第二電子回転子42が設置され、前記第二電子回転子42に前記第二スライド板40にねじで係合接続される第二ボルト41が動力で接続され、前記第二スライド板40の右端面に前記第二ボルト41にねじで係合接続される第二ねじ穴44が設置され、前記第一スライド板50と前記第二スライド板40の頂端面に閉じ層が設置され、閉じる機能が実現され、前記傾斜ガイド面55を通じて前記凸部53を迅速に前記接続溝43に挿入して係合接続させる。
【００１５】
その中に、前記光電板6が前記電気板3に電気で接続される。
【００１６】
本発明が使用される時、前記第一油シリンダー21をコントロールして起動させ、前記第一軸22が前記回転ドラム24を上に移動駆動させ、それによって、前記光電板6を前記スライド筐体2から押し出せ、前記肩上げ電子回転子27をコントロールして起動させ、それによって、前記肩上げブロック29を上に移動回転させ、前記光電板6が前記回転軸63から離れる一端が上に上げさせ、前記光電板6を傾斜させ、前記光電板6がより良く太陽光を吸収して発電するには便利であり、しかも前記光電板6の傾斜角度が需要に応じて調節して、前記歯車リング25が前記歯車74に向かい合う時は前記回転ドラム24が上に移動する最大値であり、この時第二油シリンダー73をコントロールして起動させ、前記第二軸72が前記回転電子回転子71を左に移動駆動させ、前記回転電子回転子71が左に移動する同時に前記歯車74を左に移動させて前記歯車リング25に噛み合わせ、そして前記回転電子回転子71をコントロールして起動させ、前記回転ドラム24を回転駆動させ、前記回転ドラム24が回転して前記光電板6を回転させ、前記光電板6が太陽光の照射角度によって調節するには便利であり、前記光電板6の発電効率を向上させ、前記光電板6が発電した電気量は前記電気板3に貯蔵され、前記電気板3を通じてスピーカーに給電する。
【００１７】
雷雨や強風に遭う時、まず前記第二軸72をコントロールして起動させ、前記歯車74が右に移動して前記歯車リング25との噛み合いから離脱し、前記肩上げ電子回転子27をコントロールして起動させ前記光電板６を水平に放置し、前記第一油シリンダー21をコントロールして起動させ、前記回転ドラム24を下に移動させ、前記光電板6を前記肩上げ溝26に収め、最後は前記第一電子回転子52と第二電子回転子42をコントロールして起動させ、前記第一スライド板50を右に、前記第二スライド板40を左に移動させ、前記凸部53が接続溝43に挿入して係合接続される時前記スライド筐体2の頂部開口が閉じられ、それによって、前記光電板6を前記スライド筐体2に閉じらせ、前記光電板6を良く保護して、光電板6が雷雨や強風に損壊されることを防止する。
【００１８】
本発明は太陽の運動軌跡によって、光電板の傾斜角度と向きを自動にコントロールすることを実現させる。それによってもっとよく太陽光を吸収して発電させ、組み込みサウンドボックスに供電して、省エネ・環境保護に適し、発電効率が高く、普及に適している。
【００１９】
以上に本発明の基本原理、主な特徴と本発明の長所を表示し説明した。本分野の技術者は本発明が以上の実施例の制限を受けなく、以上の実施例と説明書はただ本発明の原理を説明し、本発明の意義と範囲を離れない前提に本発明は各種の変化と改善があることを了解すべきである。これらの変化と改善は全部本発明の保護範囲にある。本発明の保護範囲は特許請求の範囲とその同等のものに画定される。